(57)【要約】【課題】  帳票のセットや帳票の取出しを表側及び裏側のどの方向からでもできるようにし、オペレータの移動範囲を少なくして業務の効率化を図ることができる光学的データ読取装置を提供することである。【解決手段】  読取装置１２のホッパーテーブル１４にセットされた帳票１５を給紙部１６で給紙し、給紙部１６からの帳票を仕分けしてソータ１３の排出テーブル１９に帳票を蓄積する。排出テーブル１９は、水平方向に上下に複数段で構成され、ソータ１３の表側及び裏側の双方に排出テーブル１９からの帳票の取り出しのための開口部２０を備えている。【選択図】  図１
2006248742.tif 000002
【特許請求の範囲】
【請求項１】
読取装置のホッパーテーブルにセットされた帳票を給紙する給紙部と、前記給紙部からの帳票を仕分けして蓄積する排出テーブルを有したソータを備え、前記排出テーブルは、水平方向に上下に複数段で構成され、前記ソータの表側及び裏側の双方に排出テーブルからの帳票の取り出しのための開口部を備えたことを特徴とする光学的データ読取装置。
【請求項２】
前記ソータの開口部は、前記ソータの表側と裏側とを貫通して形成されてたことを特徴とする請求項１記載の光学的データ読取装置。
【請求項３】
前記ホッパーテーブルに２個の給紙部を有し、前記ホッパーテーブル上で各々の給紙部により前記ソータの表側及び裏側のそれぞれに帳票をリリースし、前記ソータの表側及び裏側の双方に帳票を搬送することを特徴とする請求項１または２記載の光学的データ読取装置。
【請求項４】
前記給紙部は、前記ホッパーテーブル上で前記ソータの表側または裏側のどちら側にでも移動可能としたことを特徴とする請求項１ないし３のいずれか一記載の光学的データ読取装置。
【請求項５】
前記読取装置に設けられたオペレーションパネルは、前記ソータの表側または裏側のいずれの方向にも回動できることを特徴とする請求項１ないし４のいずれか一記載の光学的データ読取装置。
【発明の詳細な説明】
【技術分野】
【０００１】
本発明は、例えば金融機関等において振込金額等の取引内容が記載された帳票を仕分けする光学的データ読取装置に関する。
【背景技術】
【０００２】
一般に、帳票類に記録された文字等のデータの読み取りを行う光学的データ読取装置は、帳票を光学的に走査して帳票イメージの検出を行い、その帳票を排出テーブルに仕分けするように構成されている。
【０００３】
帳票類に記録された文字等の読取りを行なう光学的文字読取装置として、下部ユニット上に上部ユニット及び排出ユニットを載置し、上部ユニット及び排出ユニットが支点部において、それぞれ所定角度回動可能に構成し、設置占有面積が少なく、かつ運搬を容易としたものがある（例えば、特許文献１参照）。
【０００４】
また、通帳収容部に装填された通帳を搬送手段によって順次、読取手段、自動頁捲り手段、印字手段に搬送して自動的に記帳を行ない、通帳の記帳の操作における労力の削減と時間の短縮を図るようにしたものがある（例えば、特許文献２参照）。
【特許文献１】特許第２８０９８６６号公報
【特許文献２】特開平７−８９１６６号公報
【発明の開示】
【発明が解決しようとする課題】
【０００５】
しかし、従来のものでは、帳票の搬送方向及び排出帳票の取り出し方向が一方向に決まっているので、光学的データ読取装置の設置方向も決まっていた。また、複数台の光学的データ読取装置を設置した場合にオペレータの移動範囲が広くなり、一人で操作がこなせない場合は複数人で対応する必要があった。
【０００６】
図８は、従来の光学的データ読取装置の外観構成図である。光学的データ読取装置１１は、読取装置（ＯＣＲ）１２と複数台のソータ１３ａ、１３ｂ、１３ｃとから構成され、読取装置１２には帳票をセットするためのホッパーテーブル１４が設けられ、また、オペレーションパネル２１が設けられている。読取装置１２のホッパーテーブル１４にセットされた帳票は、読取装置１２で読み取られ複数台のソータ１３ａ、１３ｂ、１３ｃに仕分けされて、図８に示す矢印方向Ａから取り出される。
【０００７】
図９は従来の光学的データ読取装置での帳票搬送の概略説明図である。読取装置１２のホッパーテーブル１４に積載された帳票１５は、給紙部１６により一枚ずつ読取装置１２内に取り込まれる。読取装置１２内に取込まれた帳票１５は、搬送系１７により搬送されて読取部１８で読取処理を行い、ソータ１３ａ、１３ｂの排出テーブル１９へ排出される。なお、図９ではソータ１３ｃの図示を省略している。
【０００８】
図１０は、複数台の光学的データ読取装置を配置した場合のオペレータの操作エリアの説明図である。例えば、図１０に示すように、４台の光学的データ読取装置１１ａ〜１１ｄをそれぞれ縦横方向に並列に設置した場合を考える。各々の光学的データ読取装置１１ａ〜１１ｄの帳票の搬送方向及び排出された帳票の取り出し方向が一方向であるので、オペレータがＡ位置にいた場合には、１台目の光学的データ読取装置１１ａに対しては、１台目の光学的データ読取装置１１ａの端部（ソータ１３ｃ）まで移動して元のＡ位置まで戻ることになる。そして、その後にＡ位置から２台目の光学的データ読取装置１１ｂのＢ位置に移動し、２台目の光学的データ読取装置１１ｂの端部（ソータ１３ｃ）まで移動して元のＢ位置まで戻ることになる。以下同様に、３台目の光学的データ読取装置１１ｃの読取装置１４の位置に移動し、３台目の光学的データ読取装置１１ｃの端部（ソータ１３ｃ）まで戻り、さらに、４台目の光学的データ読取装置１１ｄの読取装置１４の位置に移動し、４台目の光学的データ読取装置１１ｄの端部（ソータ１３ｄ）まで移動することになる。図１０の矢印で示すように、オペレータの移動範囲は、各々の光学的データ読取装置１１ａ〜１１ｃが設置してある箇所表側のほぼ全域となる。
【０００９】
このように、ホッパーテーブル１４への帳票のセットやソータ１２の排出テーブル１９に仕分けされた帳票の取り出しは一方向からの操作となるので、複数台の光学的データ読取装置１１ａ〜１１ｄを設置した場合には、オペレータの移動範囲が広くなり一人のオペレータでの操作が困難になる。
【００１０】
本発明の目的は、帳票のセットや帳票の取出しを表側及び裏側のどの方向からでもできるようにし、オペレータの移動範囲を少なくして業務の効率化を図ることができる光学的データ読取装置を提供することである。
【課題を解決するための手段】
【００１１】
請求項１の発明に係わる光学的データ読取装置は、読取装置のホッパーテーブルにセットされた帳票を給紙する給紙部と、前記給紙部からの帳票を仕分けして蓄積する排出テーブルを有したソータを備え、前記排出テーブルは、水平方向に上下に複数段で構成され、前記ソータの表側及び裏側の双方に排出テーブルからの帳票の取り出しのための開口部を備えたことを特徴とする。
【００１２】
請求項２の発明に係わる光学的データ読取装置は、請求項１の発明において、前記排出テーブルの開口部は、前記排出テーブルの表側と裏側とを貫通して形成されてたことを特徴とする。
【００１３】
請求項３の発明に係わる光学的データ読取装置は、請求項１または２の発明において、前記ホッパーテーブルに２個の給紙部を有し、前記ホッパーテーブル上で各々の給紙部により前記ソータの表側及び裏側のそれぞれに帳票をリリースし、前記ソータの表側及び裏側の双方に帳票を搬送することを特徴とする。
【００１４】
請求項４の発明に係わる光学的データ読取装置は、請求項１ないし３のいずれか一の発明において、前記給紙部は、前記ホッパーテーブル上で前記ソータの表側または裏側のどちら側にでも移動可能としたことを特徴とする。
【００１５】
請求項５の発明に係わる光学的データ読取装置は、請求項１ないし４のいずれか一の発明において、前記読取装置に設けられたオペレーションパネルは、前記ソータの表側または裏側のいずれの方向にも回動できることを特徴とする。
【発明の効果】
【００１６】
本発明によれば、帳票のセットや帳票の取り出し方向がソータの表側及び裏側の双方からできるので、オペレータの移動範囲が少なくなる。従って、複数台の光学的データ読取装置の設置条件（レイアウト）が緩和される。
【００１７】
すなわち、帳票のセットや取り出しがオペレータの近接した位置にレイアウトすることが可能となり、オペレータの移動範囲を小さくできる。また、帳票の取出し口が増えることで処理効率が向上する。さらに、給紙部はホッパーテーブル上でソータの表側または裏側のどちら側にでも移動可能となっているので、ソータの表側及び裏側のどちらでも同じ搬送基準で搬送可能になる。また、読取装置に設けられたオペレーションパネルは、ソータのソータの表側または裏側のいずれの方向にも回動できるので、操作性が向上する。
【発明を実施するための最良の形態】
【００１８】
以下、本発明の実施の形態を説明する。図１は本発明の実施の形態に係わる光学的データ読取装置の外観構成図であり、図１（ａ）は光学的データ読取装置の表側の外観構成図、図１（ｂ）は光学的データ読取装置の裏側の外観構成図である。光学的データ読取装置１１は、読取装置１２と複数台のソータ１３ａ、１３ｂ、１３ｃとから構成され、読取装置１２には帳票をセットするためのホッパーテーブル１４が設けられ、また、オペレーションパネル２１が設けられている。
【００１９】
各々のソータ１３ａ、１３ｂ、１３ｃは、それぞれ帳票を仕分けして蓄積する排出テーブル１９を備えており、排出テーブル１９は、水平方向に上下に複数段で構成されている。各々のソータ１３ａ、１３ｂ、１３ｃの表側及び裏側の双方に帳票の取り出しのための開口部２０ａ、２０ｂが設けられている。読取装置１２のホッパーテーブル１４にセットされた帳票は、読取装置１２で読み取られ複数台のソータ１３ａ、１３ｂ、１３ｃに仕分けされて、図１（ａ）に示す矢印方向Ａ及び矢印方向Ａ’から取り出される。また、図１（ｂ）に示すように、オペレーションパネル２１は、ソータ１３ａ、１３ｂ、１３ｃの表側及び裏側のどの方向からでも操作可能なように向きを３６０°動かすことが可能な構造になっている。
【００２０】
図２はソータ１３の斜視図である。ソータ１３ａ、１３ｂ、１３ｃの開口部２０ａ、２０ｂは吹き抜け構造になっており、ソータ１３ａ、１３ｂ、１３ｃの表側と裏側とを貫通して形成されている。帳票はソータ１３ａ、１３ｂ、１３ｃの表側及び裏側から取出し可能となっており、帳票はソータ１３の排出テーブル１９から図２の矢印方向Ａ及び矢印方向Ａ’の双方向から取り出せるようになっている。
【００２１】
図３は、本発明の実施の形態における読取装置１２の平面図である。ホッパーテーブル１４には２個の給紙部１６ａ、１６ｂを有し、ホッパーテーブル１４上でシートガイド２２ａ、２２ｂにより帳票１５をセットする。すなわち、シートガイド２２ａ、２２ｂはホッパーテーブル１４上を摺動可能となっており、例えば、シートガイド２２ａとホッパーテーブル１４の端部との間Ｐａにソータ１３ａ、１３ｂ、１３ｃの表側に排出される帳票１５をセットし、シートガイド２２ｂとホッパーテーブル１４の端部との間Ｐｂにソータ１３ａ、１３ｂ、１３ｃの裏側に排出される帳票１５をセットする。そして、各々の給紙部１６ａ、１６ｂによりドライブローラ２４を介して帳票１５をソータ１３ａ、１３ｂ、１３ｃの表側及び裏側のそれぞれに帳票をリリースする。
【００２２】
給紙部１６ａ、１６ｂはそれぞれ２個のローラ２７、２８を有し、フィードモータ２３の駆動によりローラ２８が回転しする。これにより、帳票１５は給紙部１６ａ、１６ｂにより読取装置１２内に取込まれる。さらに、ドライブローラ２４は駆動モータ２５より駆動され、ドライブローラ２４の回転により帳票１５は搬送される。ドライブローラ２４は、帳票１５を搬送可能にするために給紙部１６ａ、１６ｂに合わせて配置されている。これにより、帳票１５は、図４に示すように、ソータ１３ａ、１３ｂ、１３ｃの表側及び裏側の双方に搬送される。図４は、排出テーブル１９に帳票１５がソータ１３ａ、１３ｂ、１３ｃの表側及び裏側の双方に排出された様子を示す平面図である。
【００２３】
以上の説明では、２個の給紙部１６ａ、１６ｂを用いてソータ１３ａ、１３ｂ、１３ｃの表側及び裏側の双方に帳票１５を排出する場合について説明したが、ソータ１３ａ、１３ｂ、１３ｃの表側または裏側のいずれか一方に帳票１５を排出する場合には、２個の給紙部１６ａ、１６ｂのうちいずれか一方を使用してソータ１３ａ、１３ｂ、１３ｃの表側または裏側のいずれか一方に帳票１５を排出することになる。
【００２４】
図５は２個の給紙部１６ａ、１６ｂのうちいずれか一方で給紙する場合の説明図である。図５に示すように、２個の給紙部１６ａ、１６ｂにそれぞれソレノイド２６ａ、２６ｂが設けられており、帳票１５の集積に使用しない給紙部１６ａ、１６ｂの非駆動ローラ２７をホッパーテーブル１４より離れた位置に移動させる。いま、ソータ１３ａ、１３ｂ、１３ｃの表側を基準にホッパーテーブル１４に帳票１５を集積する場合を考える。この場合、表側に排出予定の帳票１５は、シートガイド２２ａにより表側方向を基準にしてセットする。そのとき、奥側にある給紙部１６ｂは、帳票１５の搬送のためには不要であるので、ソレノイド２６ｂを動作させ、給紙部１６ｂの非駆動ローラ２７をホッパーテーブル１４より離す。これにより、ソータ１３ａ、１３ｂ、１３ｃの表側または裏側のいずれか一方に帳票１５を排出できる。
【００２５】
また、以上の説明では、２個の給紙部１６ａ、１６ｂを用いてソータ１３ａ、１３ｂ、１３ｃの表側及び裏側の双方に帳票１５を排出する場合について説明したが、１個の給紙部１６を用いて、ソータ１３ａ、１３ｂ、１３ｃの表側または裏側のいずれか一方に帳票１５を排出するようにしてもよい。
【００２６】
図６は１個の給紙部１６を用いて、ソータ１３ａ、１３ｂ、１３ｃの表側または裏側のいずれか一方に帳票１５を排出する場合の説明図である。給紙部１６は、ホッパーテーブル１５上でソータ１３ａ、１３ｂ、１３ｃの表側または裏側のどちら側にでも移動可能となっている。
【００２７】
１個の給紙部１６がホッパーテーブル１４でソータ１３の表側方向または裏側方向へ移動する。例えば、帳票１５がソータ１３の表側基準で搬送する場合は給紙部１６の位置とし、帳票１５がソータ１３の裏側基準で搬送する場合は給紙部１６’の位置とする。
【００２８】
図７は、本発明の実施の形態に係わる複数台の光学的データ読取装置を配置した場合のオペレータの操作エリアの説明図である。本発明の実施の形態に係わる光学的データ読取装置１１はソータ１３の表側及び裏側の双方から帳票を取り出せるので、図１０に示した従来のレイアウトに対し、光学的データ読取装置１１ｃ、１１ｄを反対向きに設置している。すなわち、４台の光学的データ読取装置１１ａ〜１１ｄの読取装置１２がそれぞれ近接するように、全体として左右対称にレイアウトしている。
【００２９】
この場合、ホッパーテーブル１４への積載の移動範囲が短くなる。例えば、Ａ位置からＥ位置、Ｆ位置、Ｇ位置への移動をすることになるが、従来のものに対し移動距離が小さくなっている。また、光学的データ読取装置１１の設置においても、帳票のセット方向や帳票の取り出し方向に制限が少なくなる。
【００３０】
本発明の実施の形態によれば、帳票の取り出しが光学的データ読取装置１１のソータ１３の表側及び裏側のどちらからでもでき、給紙部が光学的データ読取装置１１の表側と裏側とに移動できるので、帳票を取り出す方向を表側または裏側のうちから選択できる。
【００３１】
つまり、ホッパーテーブル１４への帳票の積載が光学的データ読取装置１１のソータ１３の表裏で規制がなく、ソータ１３の双方向に開口部２０に空いているので、ソータ１３の表側及び裏側の双方向から帳票を取り出せる。また、オペレータの移動距離が少なくて済む。
【図面の簡単な説明】
【００３２】
【図１】本発明の実施の形態に係わる光学的データ読取装置の外観構成図。
【図２】本発明の実施の形態におけるソータの斜視図。
【図３】本発明の実施の形態における読取装置の平面図。
【図４】本発明の実施の形態における排出テーブルに帳票がソータの表側及び裏側の双方に排出された様子を示す平面図。
【図５】本発明の実施の形態における２個の給紙部のうちいずれか一方で給紙する場合の説明図。
【図６】本発明の実施の形態における１個の給紙部を用いてソータの表側または裏側のいずれか一方に帳票を排出する場合の説明図。
【図７】本発明の実施の形態に係わる複数台の光学的データ読取装置を配置した場合のオペレータの操作エリアの説明図。
【図８】従来の光学的データ読取装置の外観構成図。
【図９】従来の光学的データ読取装置での帳票搬送の概略説明図。
【図１０】複数台の光学的データ読取装置を配置した場合のオペレータの操作エリアの説明図。
【符号の説明】
【００３３】
１１…光学的データ読取装置、１２…読取装置、１３…ソータ、１４…ホッパーテーブル、１５…帳票、１６…給紙部、１７…搬送系、１８…読取部、１９…排出テーブル、２０…開口部、２１…オペレーションパネル、２２…シートガイド、２３…フィードモータ、２４…ドライブローラ、２５…駆動モータ、２６…ソレノイド、２７…ローラ、２８…ローラ
【図１】
2006248742.tif 000003
【図２】
2006248742.tif 000004
【図３】
2006248742.tif 000005
【図４】
2006248742.tif 000006
【図５】
2006248742.tif 000007
【図６】
2006248742.tif 000008
【図７】
2006248742.tif 000009
【図８】
2006248742.tif 000010
【図９】
2006248742.tif 000011
【図１０】
2006248742.tif 000012